(57)【要約】【課題】  携帯用電気ドリルで板材の側面に垂直な穴をあけたい時に、錐の垂直姿勢を確認するための指標が穿孔点近傍に無い、又、板材の側面に板幅の中点を正確に罫書くのも難しい。【解決手段】  本発明は垂直基準面を持つ薄板２枚で穿孔平面を挟むことにより錐が垂直姿勢を保つための指標と、板幅の中点を提供するもので、円柱２本で前記薄板を平行移動可能に連結し、尚かつ前記円柱２本を穿孔平面上に密着させることにより、前記垂直基準面２枚が穿孔平面に対して垂直姿勢を示す位置に前記円柱２本を配置し、又、前記薄板２枚の内側側面に、合同の直角三角形の薄板２枚を斜辺面が交叉し、尚かつ重ね合わされて摺動可能位置にそれぞれ固定し、前記垂直基準面を持つ薄板２枚が被穿孔材を挟んで固定されたときに２枚の直角三角形の斜辺面の交点が板幅の中点を示す構成とする。【選択図】  図１
2010110845.tif 000002
【特許請求の範囲】
【請求項１】
携帯用電気ドリル等で板材の側面に垂直な穴をあけたい時に、穿孔作業中でも錐の垂直姿勢を確認できる補助具に関して、垂直基準面として機能する直線状の切断面を有する薄板の平面上に、前記直線状の切断面と直交する直線を仮想し、この仮想した直線上に同径の円柱２本を垂直に、尚かつ間隔をあけて配置し固定した第一の側板と、第一の側板と同形の薄板で、前記垂直基準面として機能する直線状の切断面２面を揃えて密着させたときに、前記第一の側板に固定された円柱２本が貫通可能な穴を２個有する第二の側板で構成され、上記２枚の側板が平行移動可能に組み立てられたことを特徴とする垂直指示補助具。
【請求項２】
請求項１の側板２枚を組み立てた状態で両側板の内面に、直角三角形で合同の薄板２枚を、上記側板相互を平行移動させても直角三角形の斜辺面が常に交叉状態を保ち、尚かつその交叉点が両側板の内面から等距離になる状態に配置して、それぞれの側板と一体化したことを特徴とする請求項１の垂直指示補助具。
【請求項３】
請求項２に示した直角三角形の薄板の斜辺に、側板の内面を起点とする目視可能な目盛を設けたことを特徴とする請求項２の垂直指示補助具。  
【発明の詳細な説明】
【技術分野】
【０００１】
本発明は被工作平面に携帯用電気ドリルで垂直な穴をあけるため、及び板幅の中点を罫書く為の補助具に関する。
【背景技術】
【０００２】
携帯用電気ドリルを用いた板材側面への穿孔作業は、雌ネジ穴やだぼ穴等、多方面で必要になるが、正確な垂直穿孔作業は熟練者でも難しいし、錐の姿勢を垂直姿勢に誘導する簡便な治具も無いと思われ、又板幅の中点を簡単に罫書く為の定規も無いと思われる。
【０００３】
特許文献１にはドリルの垂直性確保案が記載されているが、板材の側面等、幅が狭い平面が考慮されていない。又、特許文献２には、連結リンク機構を利用した中心線の罫書き方法が記載されているが、板側面等の幅が狭い平面には対応出来ないと思われる。
【特許文献１】特開２００３−２６６２２２号公報
【特許文献２】実開昭５７−０５９３０２号公報
【発明の開示】
【発明が解決しようとする課題】
【０００４】
携帯用電気ドリル等で板材の側面に垂直な穴をあけたい時に、錐の垂直姿勢を確認するための指標が穿孔点近傍に無い為に正確な垂直穿孔作業が出来ない。又、板材の側面に板幅の中点を正確に罫書くのも難しい。
【課題を解決するための手段】
【０００５】
本発明は垂直基準面となる直線状の切断面を持つ薄板２枚で穿孔平面を挟むことにより錐が垂直姿勢を保つための指標を提供するもので、円柱２本で前記薄板を平行移動可能に連結し、尚かつ前記円柱２本を穿孔平面上に密着させた時に、前記垂直基準面２面が穿孔平面に対して垂直姿勢を示す位置に前記円柱２本を配置する。
【０００６】
又、前記薄板２枚の内側側面に、合同の直角三角形の薄板２枚を、斜辺面が交叉し、尚かつ重ね合わされて摺動可能位置にそれぞれ固定し、前記垂直基準面を持つ薄板２枚が被穿孔材を挟んで固定された時に、２枚の直角三角形の斜辺面の交点が板幅の中点を示す構成とする。
【発明の効果】
【０００７】
本発明の垂直指示補助具で穿孔面を挟んで固定した時、穿孔点に立てた錐の近傍で尚かつ両側に、穿孔面に垂直な面が平行に形成されるので、穿孔中の錐姿勢を穿孔面に垂直な状態に保持できる。
【０００８】
又、２枚の側板の内側に固定した直角三角形の斜辺面の交叉点は、正確に板厚の中点を示すので、目盛りの読み間違い等が無くなり、中点の罫書き作業が確実に出来る。
【０００９】
又、２枚の側板を平行移動可能に組み立てるので、穿孔面の板厚寸法の制約も受けにくい。
【００１０】
又、側板に分度目盛りを付ければ、希望の傾斜角の基準面も提供できる。
【発明を実施するための最良の形態】
【００１１】
本発明の垂直指示補助具の構成は図２で示すが、第一の側板１０と第二の側板２０から成り、第一の側板１０には垂直基準面１に直交する線上に連結円柱１１を間隔を開けて側板面に垂直に固定し、この連結円柱２本を被穿孔材の穿孔平面に密着させることにより、垂直基準面１が穿孔平面に対して垂直姿勢に誘導される。
【００１２】
第二の側板２０は第一の側板と同形の薄板で、垂直基準面２を有し、これを第一の側板の垂直基準面１に密着させた時に第一の側板の連結円柱２本が貫通可能な貫通穴２１を２個設け、２枚の側板の平行移動を可能にする。
【００１３】
又、図４に示すように、前記２枚の側板には、直角三角形で合同の薄板で形成された中点指示板１３と２３を、斜辺面１４と２４が交叉し、尚かつ重ね合わされて摺動可能な状態に配置し、側板２枚が被穿孔材４を挟んで固定された時に、斜辺面１４と２４の交叉点が被穿孔材の穿孔面上で板幅の中点６を示す位置に、それぞれ固定する。
【００１４】
又、図２で示すように、第一の側板１０と第二の側板２０には、それぞれの中点指示板１３と２３が貫通可能な貫通開口部１２と２２を設ける。
【実施例１】
【００１５】
図１は本発明の垂直指示補助具を使用中の斜視図であるが、被穿孔材４に罫書かれた罫書き線５に垂直基準面１と２を合わせて万力等で狭圧固定された側板の、垂直基準面１と２に依り、錐３の垂直姿勢を確認する。
【実施例２】
【００１６】
図５は側板に分度目盛を付けた一例で、片方の連結円柱１１を被穿孔面に密着させて希望する分度目盛を被穿孔面に合わすことにより９０度から６０度迄の範囲で垂直基準面１を傾斜させることが出来る。
【実施例３】
【００１７】
図６は請求項１の変形例を説明したもので、各側板に１本ずつ連結円柱１１を固定し、この連結円柱に対応した貫通穴２１を設けることにより、２枚の側板を組み立てたときに垂直基準面相互の平行精度を高めることが出来る。
【実施例４】
【００１８】
図７は請求項３の説明図であるが、中点支持板１３，２３の斜辺面１４，２４に等間隔の目盛１５，２５を各側板の内面を起点にして付ければ、板厚の中点指示の正確性を確認できる。
【００１９】
又、上記目盛間隔を斜辺面の交叉点が板厚を示す寸法にすれば、板厚測定器として使用できる。
【産業上の利用可能性】
【００２０】
本発明の垂直穿孔補助具を使えば、日曜大工等の楽しさが増し、工具産業や材料産業界の活性化に貢献できると考える。
【図面の簡単な説明】
【００２１】
【図１】使用中の斜視図
【図２】各部の構成斜視図
【図３】平行移動の一例斜視図
【図４】中点説明図
【図５】分度目盛説明図
【図６】実施例３の説明図
【図７】請求項３の説明図
【符号の説明】
【００２２】
１  垂直基準面
２  垂直基準面
３  錐
４  被穿孔材
５  罫書き線
６  中点
１０  第一の側板
１１  連結円柱
１２  貫通開口部
１３  中点指示板
１４  斜辺面
１５  目盛
２０  第二の側板
２１  貫通穴
２２  貫通開口部
２３  中点指示板
２４  斜辺面
２５  目盛
【図１】
2010110845.tif 000003
【図２】
2010110845.tif 000004
【図３】
2010110845.tif 000005
【図４】
2010110845.tif 000006
【図５】
2010110845.tif 000007
【図６】
2010110845.tif 000008
【図７】
2010110845.tif 000009